【手続補正書】
【提出日】平成18年3月1日(2006.3.1)
【手続補正１】
【補正対象書類名】特許請求の範囲
【補正対象項目名】全文
【補正方法】変更
【補正の内容】
【特許請求の範囲】
【請求項１】
Ｘ線管から照射されたＸ線を検出手段で検出した後、デジタル化された画像データとして出力する複数種のＸ線画像出力装置と、この複数種のＸ線画像出力装置を制御する制御装置とによって構成されるＸ線画像撮影システムであって、
前記制御装置は、前記複数種のＸ線画像出力装置の中からＸ線画像出力装置を選択する手段と、
選択された前記Ｘ線画像出力装置の種類に応じて決定された撮影部位の選択肢を表示手段に表示させる表示制御手段と、
前記表示手段に表示された撮影部位の選択肢の中から撮影部位を選択する手段とを有することを特徴とするＸ線画像撮影システム。
【請求項２】
前記表示制御手段は、選択された前記Ｘ線画像出力装置の種類及び撮影部位の組合せに応じて決定された撮影方向の選択肢を前記表示手段に表示させ、
前記制御装置は、前記表示手段に表示された撮影方向の選択肢の中から撮影方向を選択する手段を有することを特徴とする請求項１に記載のＸ線画像撮影システム。
【請求項３】
選択された撮影部位に応じて決定された画像処理を、前記Ｘ線画像出力装置から出力された画像データに対して施す画像処理手段を有することを特徴とする請求項１又は２に記載のＸ線画像撮影システム。
【請求項４】
選択された撮影方向に応じて決定された画像処理を、前記Ｘ線画像出力装置から出力された画像データに対して施す画像処理手段を有することを特徴とする請求項２又は３に記載のＸ線が像撮影システム。
【請求項５】
前記表示制御手段は、前記撮影部位の選択肢の大分類及び前記撮影部位の選択肢の小分類を選択可能に前記表示手段に表示させ、選択された前記撮影部位の選択肢の大分類に応じて決定された撮影部位の選択肢の小分類を前記表示手段に表示させることを特徴とする請求項１乃至請求項４のいずれか１項に記載のＸ線画像撮影システム。
【請求項６】
前記表示制御手段は、選択された撮影部位の選択肢の小分類に応じて決定された、前記撮影方向の選択肢のセット撮影メニューを前記表示手段に表示させることを特徴とする請求項５に記載のＸ線画像撮影システム。
【請求項７】
前記複数のＸ線画像出力装置の内、画像データを出力したＸ線画像出力装置が特定できる情報、もしくは画像データを出力したＸ線画像出力装置の種類が特定できる画像データ付属情報を、画像データと対応付けて記憶する記憶手段を有することを特徴とする請求項１乃至請求項６のいずれか１項に記載のＸ線画像撮影システム。
【請求項８】
前記複数のＸ線画像出力装置の内の少なくとも１つが、固体平面検出器もしくは輝尽性蛍光体を検出手段とする立位型のＸ線画像出力装置であり、
前記複数のＸ線画像出力装置の内の少なくとも１つが固体平面検出器もしくは輝尽性蛍光体を検出手段とする臥位型のＸ線画像出力装置であることを特徴とする請求項１乃至請求項7のいずれか１項に記載のＸ線画像撮影システム。
【請求項９】
前記複数のＸ線画像出力装置の内の少なくとも１つが、固体平面検出器もしくは輝尽性蛍光体を検出手段とする立位型もしくは臥位型のＸ線画像出力装置であり、
前記複数のＸ線画像出力装置の内の少なくとも１つが、前記可搬型のカセッテに内蔵された前記輝尽性蛍光体プレートからＸ線画像情報を読み取る読み取り手段を有するカセッテ対応型のＸ線画像出力装置であることを特徴とする請求項１乃至請求項８のいずれか１項に記載のＸ線画像撮影システム。
【手続補正２】
【補正対象書類名】明細書
【補正対象項目名】００２４
【補正方法】削除
【補正の内容】
【手続補正３】
【補正対象書類名】明細書
【補正対象項目名】００２５
【補正方法】削除
【補正の内容】
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】変更
【補正の内容】
【００３０】
請求項１に記載の発明は、『Ｘ線管から照射されたＸ線を検出手段で検出した後、デジタル化された画像データとして出力する複数種のＸ線画像出力装置と、この複数種のＸ線画像出力装置を制御する制御装置とによって構成されるＸ線画像撮影システムであって、
前記制御装置は、前記複数種のＸ線画像出力装置の中からＸ線画像出力装置を選択する手段と、
選択された前記Ｘ線画像出力装置の種類に応じて決定された撮影部位の選択肢を表示手段に表示させる表示制御手段と、
前記表示手段に表示された撮影部位の選択肢の中から撮影部位を選択する手段とを有することを特徴とするＸ線画像撮影システム。』である。
【手続補正９】
【補正対象書類名】明細書
【補正対象項目名】００３１
【補正方法】変更
【補正の内容】
【００３１】
この請求項１に記載の発明によれば、複数種のＸ線画像出力装置の中からＸ線画像出力装置を選択し、選択されたＸ線画像出力装置の種類に応じて決定された撮影部位の選択肢を表示手段に表示させ、表示された撮影部位の選択肢の中から撮影部位を選択するので、使用者が撮影部位を選択する際にＸ線画像出力装置の種類を意識することなく、短時間に目的とする撮影部位を選択することができる。また、複数のＸ線画像出力装置を１つの制御装置で制御できるので、システムを低コストで容易に構築または拡張することができる。また複数のＸ線画像出力装置に対して制御装置が１台で済むので、制御装置の設置面積を最小限に抑えることができる。
【手続補正１０】
【補正対象書類名】明細書
【補正対象項目名】００３２
【補正方法】変更
【補正の内容】
【００３２】
請求項２に記載の発明は、『前記表示制御手段は、選択されたＸ線画像出力装置の種類及び撮影部位の組合せに応じて決定された撮影方向の選択肢を前記表示手段に表示させ、
前記制御装置は、前記表示手段に表示された撮影方向の選択肢の中から撮影方向を選択する手段を有することを特徴とする請求項１に記載のＸ線画像撮影システム。』である。
【手続補正１１】
【補正対象書類名】明細書
【補正対象項目名】００３３
【補正方法】変更
【補正の内容】
【００３３】
この請求項２に記載の発明によれば、選択された前記Ｘ線画像出力装置の種類及び撮影部位の組合せに応じて決定された撮影方向の選択肢を表示させ、表示された撮影方向の選択肢の中から撮影方向を選択するので、使用者が撮影方向を選択する際にＸ線画像出力装置の種類と撮影部位の組合せを意識することなく、短時間に目的とする撮影方向を選択することができる。また、複数のＸ線画像出力装置を１つの制御装置で制御できるので、システムを低コストで容易に構築または拡張することができる。また複数のＸ線画像出力装置に対して制御装置が１台で済むので、制御装置の設置面積を最小限に抑えることができる。
【手続補正１２】
【補正対象書類名】明細書
【補正対象項目名】００３４
【補正方法】変更
【補正の内容】
【００３４】
請求項３に記載の発明は、『選択された撮影部位に応じて決定された画像処理を、前記Ｘ線画像出力装置から出力された画像データに対して施す画像処理手段を有することを特徴とする請求項１又は２に記載のＸ線画像撮影システム。』である。
【手続補正１３】
【補正対象書類名】明細書
【補正対象項目名】００３５
【補正方法】変更
【補正の内容】
【００３５】
この請求項３に記載の発明によれば、選択された撮影部位に応じて決定された画像処理を、Ｘ線画像出力装置から出力された画像データに対して施すことで、常に安定した画質の画像データを提供することができる。また、複数のＸ線画像出力装置を１つの制御装置で制御できるので、システムを低コストで容易に構築または拡張することができる。また複数のＸ線画像出力装置に対して制御装置が１台で済むので、制御装置の設置面積を最小限に抑えることができる。
請求項４に記載の発明は、『選択された撮影方向に応じて決定された画像処理を、前記Ｘ線画像出力装置から出力された画像データに対して施す画像処理手段を有することを特徴とする請求項２又は３に記載のＸ線が像撮影システム。』である。
この請求項４に記載の発明によれば、選択された撮影方向に応じて決定された画像処理を、Ｘ線画像出力装置から出力された画像データに対して施すことで、常に安定した画質の画像データを提供することができる。
請求項５に記載の発明は、『前記表示制御手段は、前記撮影部位の選択肢の大分類及び前記撮影部位の選択肢の小分類を選択可能に前記表示手段に表示させ、選択された前記撮影部位の選択肢の大分類に応じて決定された撮影部位の選択肢の小分類を前記表示手段に表示させることを特徴とする請求項１乃至請求項４のいずれか１項に記載のＸ線画像撮影システム。』である。
この請求項５に記載の発明によれば、撮影部位の選択肢の大分類及び撮影部位の選択肢の小分類を選択可能に表示させ、選択された撮影部位の選択肢の大分類に応じて決定された撮影部位の選択肢の小分類を表示させることができる。
請求項６に記載の発明は、『前記表示制御手段は、選択された撮影部位の選択肢の小分類に応じて決定された、前記撮影方向の選択肢のセット撮影メニューを前記表示手段に表示させることを特徴とする請求項５に記載のＸ線画像撮影システム。』である。
この請求項６に記載の発明によれば、選択された撮影部位の選択肢の小分類に応じて決定された、撮影方向の選択肢のセット撮影メニューを表示させることができる。
【手続補正１４】
【補正対象書類名】明細書
【補正対象項目名】００３６
【補正方法】変更
【補正の内容】
【００３６】
請求項7に記載の発明は、『前記複数のＸ線画像出力装置の内、画像データを出力したＸ線画像出力装置が特定できる情報、もしくは画像データを出力したＸ線画像出力装置の種類が特定できる画像データ付属情報を、画像データと対応付けて記憶する記憶手段を有することを特徴とする請求項１乃至請求項6のいずれか１項に記載のＸ線画像撮影システム。』である。
【手続補正１５】
【補正対象書類名】明細書
【補正対象項目名】００３７
【補正方法】変更
【補正の内容】
【００３７】
この請求項7に記載の発明によれば、撮影に使用したＸ線画像出力装置もしくはその種
類を特定できる画像データ付属情報を画像データと対応付けて記憶するようにしたので、撮影からかなり時間が経過した後でも、撮影したＸ線画像出力装置を直ちに特定することができる。特に、使用者以外の人間が画像データを参照した時に、画像データに何らかの不具合を発見した場合、それがどのＸ線画像出力装置で撮影されたかを速やかに特定することができるというメリットがある。